(57)【要約】【課題】視聴覚障害を持つ人の利便性の向上と、世界各国どこにいてもリアルタイムに多種多様な辞書機能と通訳機能を容易に使用する。【解決手段】音声認識部４と辞書検索・翻訳処理部７は、マイク５に向かって話した言葉と通話相手の言葉の意味を判別して、その結果を表示部１０にて表示するとともに音声出力部１１より音声出力する。また、マイク５に向かって話した言葉と通話相手の言葉を他の言語に翻訳し、その結果を表示部１０にて表示するとともに音声出力部１１より音声出力し、さらに無線基地局装置２０へ向けて送信する。また、キーボタン６よりキー入力されたデータを音声データに変換し、更にアナログ信号に変換して音声出力部１１より音声出力し、さらに無線基地局装置２０へ向けて送信する。【選択図】　　図１
2004094721.tif 000002
【特許請求の範囲】
【請求項１】
マイクに入力された言葉又は通話相手の言葉を音声認識する音声認識手段と、
個別辞書データベースと、
前記音声認識手段にて音声認識された言葉の意味をデータベース検索することにより判別する意味判別手段と、
前記意味判別手段にて判別された言葉の意味を表示する表示手段と、
前記意味判別手段にて判別された言葉の意味を音声出力する音声出力手段と、を具備したことを特徴とする携帯電話装置。
【請求項２】
ネットワーク上の共用データベースにアクセスするアクセス手段を備え、前記意味判別手段は、前記アクセス手段が前記共用データベースにアクセスした後、当該データベースにて言葉の意味を検索することを特徴とする請求項１記載の携帯電話装置。
【請求項３】
前記アクセス手段が前記共用データベースにアクセスした後、当該データベースより自機の前記辞書データベースの内容を更新する最新情報をダウンロードする辞書データベース更新手段を備えることを特徴する請求項２記載の携帯電話装置。
【請求項４】
マイクに入力された言葉又は通話相手の言葉を音声認識する音声認識手段と、
翻訳データベースと、前記音声認識手段で音声認識された言葉をデータベース検索して他の言語へ翻訳する翻訳手段と、
前記翻訳手段にて他言語に翻訳された言葉を表示する表示手段と、
前記翻訳手段にて他言語に翻訳された言葉を音声出力する音声出力手段と、
を具備することを特徴する携帯電話装置。
【請求項５】
ネットワーク上の共用データベースにアクセスするアクセス手段を備え、前記翻訳手段は、前記アクセス手段が前記共用データベースにアクセスした後、当該データベースを検索して他の言語へ翻訳することを特徴とする請求項４記載の携帯電話装置。
【請求項６】
前記アクセス手段が前記共用データベースにアクセスした後、当該データベースより自機の前記翻訳データベースの内容を更新する最新情報をダウンロードする翻訳データベース更新手段を備えることを特徴する請求項５記載の携帯電話装置。
【請求項７】
点字キーと、前記点字キーより入力された文字を音声データに変換する文字・音声変換手段と、前記文字・音声変換手段で音声データに変換された文字を通話相手に送信する送信手段とを備え、前記音声出力手段は、前記文字・音声変換手段で音声データに変換された文字を音声出力することを特徴とする請求項１から請求項６のいずれか１項に記載の携帯電話装置。
【請求項８】
請求項１に記載の携帯電話装置を用いた言語検索方法において、
ネットワーク上の共用データベースにアクセスし、当該データベースにて言葉の意味を検索することを特徴とする携帯電話装置を用いた言語検索方法。
【発明の詳細な説明】
【０００１】
【発明の属する技術分野】
本発明は、携帯電話装置に関する。
【０００２】
【従来の技術】
従来、携帯電話装置には辞書機能が設けられている。また、ＰＤＣ（ＰｅｒｓｏｎａｌＤｉｇｉｔａｌ　Ｃｅｌｌｕｌａｒ）端末では、ごく限られた言語ではあるが翻訳機能も設けられている。携帯電話装置を使用した通常会話中に意味不明な言葉に遭遇した場合、辞書機能や翻訳機能を使用してキーボード入力により検索を行い、その結果は画面を通して確認できる。
【０００３】
【発明が解決しようとする課題】
しかしながら、従来の携帯電話装置においては、次のような問題がある。
すなわち、従来の携帯電話装置の翻訳機能や辞書機能では、相手や自分の言葉をキーボード等の入力手段により検索を行い、画面表示された検索結果を見て会話に使用するという使用方法であるため、スムーズなコミュニケーションを図ることは難しい。なお、特許文献１には、ハンディなパーソナルコンピュータ上のＰＨＰ（Ｈｙｐｅｒｔｅｘｔ　Ｐｒｅｐｒｏｃｅｓｓｏｒ）インタフェースを利用してネットワーク上に設置されたデータベースをアクセスする方法が開示されているが、この方法でもスムーズなコミュニケーションは望めない。また、無線インタフェースがＰＨＰであるため高速移動時や利用エリアの問題も当然ながら生ずる。
【０００４】
【特許文献１】
特開平７−３０６７２号公報
【０００５】
また、従来の携帯電話装置では、視覚障害を持った人はどのボタンが何のボタンであるかが分からず、押したボタンが自分の入力したい文字であったとしても正しいと識別することができない。また、聴覚障害を持った人では、お互いが手話を理解していないとコミュニケーションをとることができないという課題もある。
【０００６】
本発明は係る点に鑑みてなされたものであり、視聴覚障害を持つ人の利便性の向上と、世界各国どこにいてもリアルタイムに多種多様な辞書機能と通訳機能を容易に使用することができる携帯電話装置を提供することを目的とする。
【０００７】
【課題を解決するための手段】
本発明の携帯電話装置は、マイクに入力された言葉又は通話相手の言葉を音声認識する音声認識手段（音声認識部４）と、個別辞書データベース（辞書データベース８）と、前記音声認識手段にて音声認識された言葉の意味をデータベース検索することにより判別する意味判別手段（辞書検索・翻訳処理部７）と、前記意味判別手段にて判別された言葉の意味を表示する表示手段（表示部１０）と、前記意味判別手段にて判別された言葉の意味を音声出力する音声出力手段（音声出力部１１）とを備える。
【０００８】
この構成によれば、マイクに向かって話した言葉と通話相手の言葉の意味が判別され、その結果が表示手段にて表示されるとともに、音声出力される。したがって、相手や自分の言葉をキーボード等の入力手段により検索を行い、画面表示された検索結果を見て、会話に使用するという従来技術に比べてスムーズなコミュニケーションを図ることが可能となる。
【０００９】
さらに、本発明の携帯電話装置は、ネットワーク上の共用データベースにアクセスするアクセス手段（辞書検索・翻訳処理部７）を具備し、前記意味判別手段は、前記アクセス手段が前記共用データベースにアクセスした後、当該データベースにて言葉の意味を検索する。
【００１０】
この構成によれば、携帯電話装置の辞書データベースを使用しなくてもネットワーク上の共用データベースを使用して言葉の意味を検索することができ、またネットワーク上の共用データベースは容量を多くとれることもあって、更に正確な言葉の意味を検索することができる。
【００１１】
さらに、本発明の携帯電話装置は、前記アクセス手段が前記共用データベースにアクセスした後、当該データベースより自機の前記辞書データベースの内容を更新する最新情報をダウンロードする辞書データベース更新手段（辞書検索・翻訳処理部７）を備える。
【００１２】
この構成によれば、携帯電話装置の辞書データベースの内容を常に最新の情報とすることができるので、常に最新の検索が可能となる。
【００１３】
本発明の携帯電話装置は、マイクに入力された言葉又は通話相手の言葉を音声認識する音声認識手段（音声認識部４）と、翻訳データベース（翻訳データベース９）と、前記音声認識手段で音声認識された言葉をデータベース検索して他の言語へ翻訳する翻訳手段（辞書検索・翻訳処理部７）と、前記翻訳手段にて他言語に翻訳された言葉を表示する表示手段（表示部１０）と、前記翻訳手段にて他言語に翻訳された言葉を音声出力する音声出力手段（音声出力部１１）とを備える。
【００１４】
この構成によれば、マイクに向かって話した言葉と通話相手の言葉が他の言語に翻訳され、その結果が表示手段にて表示されるとともに、音声出力される。したがって、相手や自分の言葉をキーボード等の入力手段により検索を行い、画面表示された検索結果を見て、会話に使用するという従来技術に比べてスムーズなコミュニケーションを図ることが可能となる。
【００１５】
さらに、本発明の携帯電話装置は、ネットワーク上の共用データベースにアクセスするアクセス手段（辞書検索・翻訳処理部７）を具備し、前記翻訳手段は、前記アクセス手段が前記共用データベースにアクセスした後、当該データベースを検索して他の言語へ翻訳する。
【００１６】
この構成によれば、携帯電話装置の翻訳データベースを使用しなくてもネットワーク上の共用データベースを使用して他言語への翻訳ができ、またネットワーク上のデータベースは容量を多くとれることもあって、更に正確な翻訳が可能となる。
【００１７】
さらに、本発明の携帯電話装置は、前記アクセス手段が前記共用データベースにアクセスした後、当該データベースより自機の前記翻訳データベースの内容を更新する最新情報をダウンロードする翻訳データベース更新手段（辞書検索・翻訳処理部７）を備える。
【００１８】
この構成によれば、携帯電話装置の翻訳データベースの内容を常に最新の情報とすることができるので、常に最新の翻訳が可能となる。
【００１９】
さらに、本発明の携帯電話装置は、点字キー（キーボタン６）と、前記点字キーより入力された文字を音声データに変換する文字・音声変換手段（辞書検索・翻訳処理部７）と、前記文字・音声変換手段で音声データに変換された文字を通話相手に送信する送信手段（変調部３）とを具備し、前記音声出力手段は、前記文字・音声変換手段で音声データに変換された文字を音声出力する。
【００２０】
この構成によれば、視覚障害を持った人でもどのボタンが何のボタンであるのかが分かり、押したボタンが自分の入力したい文字であることを認識することができ、スムーズなコミュニケーションを図ることが可能となる。
【００２１】
【発明の実施の形態】
以下、本発明の実施の形態について、図面を参照して説明する。
図１は、本発明の実施の形態に係る携帯電話装置の構成を示すブロック図である。図１において、携帯電話装置１は、復調部２と、変調部３と、音声認識部４と、マイク５と、キーボタン６と、辞書検索・翻訳処理部７と、辞書データベース８と、翻訳データベース９と、表示部１０と、音声出力部１１とを有して構成され、無線基地局装置２０と無線ネットワーク制御装置２１を経由してネットワーク２２上に存在する翻訳及び辞書データベース２３にアクセスが可能となっている。
【００２２】
音声認識部４は、マイク５からの音声信号及び無線基地局装置２０より受信した音声信号を音声認識し、その結果を辞書検索・翻訳処理部７に入力する。辞書検索／翻訳処理部７は、音声認識部４から入力された音声認識後の音声データを辞書データベース８と翻訳データベース９を用いてデータの意味やデータの翻訳を行う。そして、翻訳又は辞書検索した結果を表示部１０に入力し、また音声出力部１１に入力する。また、翻訳又は辞書検索した結果を変調部３に入力して無線基地局装置２０に向けて送信する。
【００２３】
また、辞書検索／翻訳処理部７は、ネットワーク２２上の辞書・翻訳データベース２３にアクセスするアクセス機能を有し、辞書・翻訳データベース２３の情報をダウンロードして辞書データベース８及び翻訳データベース９の内容の更新を行う。また、ユーザが辞書・翻訳データベース２３を使用する指示を出した場合は、辞書・翻訳データベース２３を利用して言葉の意味の検索や他言語への翻訳を行う。
【００２４】
表示部１０は、図示しない液晶表示器を有し、辞書検索・翻訳処理部７からの翻訳又は辞書検索した結果から表示データを生成して液晶表示器上に表示する。音声出力部１１は、図示しないＤ／Ａ変換器、増幅器及びスピーカを有し、辞書検索・翻訳処理部７からの翻訳又は辞書検索した結果をアナログ信号に変換するとともに変換したアナログ信号を増幅してスピーカ１１より音声出力する。なお、表示部１０での表示、音声出力部１１からの音声出力及び無線基地局装置２０への送信の全てを同時に行う必要がない場合には、必要とするものを適宜選択できるようにしても構わない。
【００２５】
一方、キーボタン６には、点字キーが設けられており、キー入力されたデータは辞書検索・翻訳処理部７に入力されて音声データに変換される。辞書検索・翻訳処理部７は、音声データを音声出力部１１に入力して音声出力するとともに、音声データを変調部３に入力して無線基地局装置２０へ向けて送信する。なお、スピーカ１１からの音声出力及び無線基地局装置２０への送信の全てを同時に行う必要がない場合には、必要とするものを適宜選択できるようにしても構わない。
【００２６】
次に、携帯電話装置１の動作について説明する。辞書検索・翻訳処理部７は、携帯電話装置１が位置する地域言語データに伴った主要情報を予めネットワーク２２上の翻訳・辞書データベース２３からダウンロードしておく。マイク５に入力された音声又は通話相手の音声は音声認識部４にて音声データに変換される。このとき、ユーザによって辞書モードが選択されていれば、辞書検索・翻訳処理部７にて辞書データベース９又はネットワーク２２上の翻訳・辞書データベース２３にアクセスし、音声データを検索した結果の意味情報を表示部１０に表示するとともに、音声出力部１１より音声出力する。これにより、マイク５からの音声又は通話相手の言葉の意味を知ることができる。
【００２７】
一方、翻訳モードが選択されていれば、辞書検索・翻訳処理部７にて翻訳データベース９又はネットワーク２２上の辞書・辞書データベース２３にアクセスし、音声データをユーザにて選択された言語に翻訳し、その翻訳結果を表示部１０に表示するとともに音声出力部１１より音声出力し、さらに無線基地局装置２０へ向けて送信する。これにより、通話相手やマイク５を向けた相手の言葉の通訳が可能となる。
【００２８】
辞書検索・翻訳処理部７は、辞書・翻訳データベース２３から必要な情報をダウンロードして辞書データベース８と翻訳データベース９の内容を最新のものにし、また直接辞書・翻訳データベース２３にアクセスして辞書検索や翻訳処理を行う。
【００２９】
一方、キーボタン６には点字キーが具備されているので、視覚障害の方でも何のボタンであるかを判断することが可能であり、そのキーボタン６から入力を行うと、辞書検索・翻訳処理部７にてキーボタンデータが音声データに変換され、スピーカ１１から音声出力される。これにより、聴覚障害者の意思伝達に使用できるのみならず、押下したキーの正当性を音声で確認することができる。
【００３０】
本実施の形態の携帯電話装置１によれば、音声認識部４と辞書検索・翻訳処理部７で、マイク５に向かって話した言葉と通話相手の言葉の意味を判別して、その結果を表示部１０にて表示するとともに音声出力部１１より音声出力する。また、音声認識部４と辞書検索・翻訳処理部７で、マイク５に向かって話した言葉と通話相手の言葉を他の言語に翻訳し、その結果を表示部１０にて表示するとともに音声出力部１１より音声出力し、さらに無線基地局装置２０へ向けて送信する。また、音声認識部４と辞書検索・翻訳処理部７で、キーボタン６よりキー入力されたデータを音声データに変換し、更にアナログ信号に変換して音声出力部１１より音声出力し、さらに無線基地局装置２０へ向けて送信する。
【００３１】
したがって、視聴覚障害を持つ人の利便性の向上と、世界各国どこにいてもリアルタイムに多種多様な辞書機能と通訳機能を容易に使用することができる携帯電話装置を提供することができる。
【００３２】
【発明の効果】
本発明のによれば、マイクに向かって話した言葉と通話相手の言葉の意味が判別され、その結果が表示手段にて表示されるとともに、音声出力される。したがって、相手や自分の言葉をキーボード等の入力手段により検索を行い、画面表示された検索結果を見て、会話に使用するという従来技術に比べてスムーズなコミュニケーションを図ることが可能となる。
【図面の簡単な説明】
【図１】
本発明の実施の形態に係る携帯電話装置の構成を示すブロック図である。
【符号の説明】
１　携帯電話装置
２　復調部
３　変調部
４　音声認識部
５　マイク
６　キーボタン
７　辞書検索・翻訳処理部
８　辞書データベース
９　翻訳データベース
１０　表示部
１１　音声出力部
２０　無線基地局装置
２１　無線ネットワーク制御装置
２２　ネットワーク
２３　辞書・翻訳データベース
【図１】
2004094721.tif 000003